(57)【要約】【課題】  ＣＭスキップ時、ビデオカセットコレーダなどと同じように早送りによって途中の画像を見せながスキップ動作を行うとともに、スキップ先である一定時間先の位置で正確にスキップ動作を停止して通常の再生動作に移行できるようにする。【解決手段】  スキップモード時、バックエンドＭＣＵ２２は、スキップモードの開始時には早送り機能によってスキップ時間である例えば３０秒より短い例えば２４秒だけ早送りを行い、その後、タイムサーチ機能によって３０秒先の再生画像の頭出しを行った後、通常の再生モードに移行する。【選択図】  図１ 
2005327348.tif 000002
【特許請求の範囲】
【請求項１】
記録媒体に記録された情報の再生時、再生画像を一定時間単位でスキップするスキップ機能を有する光ディスク装置において、
前記スキップ機能が、早送り機能とタイムサーチ機能との組み合わせによって実現されており、スキップモードの開始時には前記早送り機能によって前記一定時間より短い所定時間だけ早送りを行い、その後、タイムサーチ機能によって前記一定時間先の再生画像の頭出しを行った後、通常の再生モードに移行するように構成されているとともに、前記スキップモード時に早送り機能を解除する解除キーを備えており、前記早送り機能による早送り再生の実施時に前記解除キーが押された場合には、その時点でタイムサーチ機能に切り換わることを特徴とする光ディスク装置。
【請求項２】
記録媒体に記録された情報の再生時、再生画像を一定時間単位でスキップするスキップ機能を有する光ディスク装置において、
前記スキップ機能が、早送り機能とタイムサーチ機能との組み合わせによって実現されていることを特徴とする光ディスク装置。
【請求項３】
前記スキップ機能は、スキップモードの開始時には前記早送り機能によって前記一定時間より短い所定時間だけ早送りを行い、その後、タイムサーチ機能によって前記一定時間先の再生画像の頭出しを行った後、通常の再生モードに移行することを特徴とする請求項２に記載の光ディスク装置。
【発明の詳細な説明】
【技術分野】
【０００１】
本発明は、記録媒体に記録された情報の再生時、再生画像を一定時間単位でスキップするスキップ機能を有する光ディスク装置に関する。
【背景技術】
【０００２】
近時、記録媒体である例えばＤＶＤを取り扱う光ディスク装置が急速に普及している。
【０００３】
ＤＶＤ等の光ディスクには音声データや映像データ等のデータが記録されているが、これらデータの他にも、ランダムアクセスができるように、データの記録位置（トラック位置）検索用のアドレスデータも記録されており、この検索用のアドレスデータには、映像データの記録開始位置からの通算時間を示すタイムアドレスデータが含まれている。
【０００４】
一方、光ディスク装置には、このタイムアドレスデータを利用して、入力された通算時間にあたる光ディスクの記録位置を検出し、その位置から光ディスクの再生を開始するタイムサーチ機能が設けられているが、この他にも、ビデオカセットレコーダと同様に早送り機能や巻き戻し機能なども設けられている。
【０００５】
このような光ディスク装置を用いて、ＤＶＤに録画された例えばディジタル放送番組を再生して視聴する場合、ユーザは、ＣＭスキップ機能を利用してＣＭ部分をスキップする場合が多い。この場合、ＣＭスキップ機能は、通常、上記タイムサーチ機能を利用して、ＣＭスキップの指定時間である例えば３０秒先まで再生画像を飛ばしてから、通常再生を開始するようになっている。または、上記早送り機能を利用して、ＣＭスキップの指定時間である例えば３０秒先まで再生画像を早送りしてから、通常再生を開始するようになっている。
【０００６】
すなわち、ＣＭをスキップする場合、従来はタイムサーチ機能を利用したスキップか、早送り機能を利用したスキップのいずれか一方の機能を利用して行うようになっている（例えば、特許文献１，２等参照）。
【特許文献１】特開２０００−２５７１６０号公報
【特許文献２】特開２００２−３６９１２８号公報
【発明の開示】
【発明が解決しようとする課題】
【０００７】
ところで、光ディスク装置の場合、早送り再生は、次のようにして行っている。
【０００８】
すなわち、光ディスク装置は、ビデオカセットレコーダのようにリニアに早送り再生を行っているわけではないので、ある程度先の時間まで画像データを先読みしておく必要がある。
【０００９】
ここで、早送り再生には、例えば４倍速、８倍速、１６倍速、２４倍速、３６倍速、・・・等の各種倍速の早送りがあるが、ここでは８倍速を例に挙げて説明する。
【００１０】
光ディスク装置では、図２（ａ）に示すように、ある程度先の時間まで画像データＡｎを先読みしてメモリに一旦蓄えている。そして、このような先読み状態において、８倍速の早送りを実施する場合には、時間的に見て０秒の位置にある画像データＡ０、８秒の位置にある画像データＡ８、１６秒の位置にある画像データＡ１６、２４秒の位置にある画像データＡ２４、３２秒の位置にある画像データＡ３２をつなぎ合わせて１つのストリームデータとして生成し（図２（ｂ）参照）、このストリームデータを順次再生することで８倍速の早送りを実現している。
【００１１】
そのため、ＣＭスキップ時、８倍速の早送り再生を行うと、目標とするスキップ時間である３０秒を超えて３２秒まで早送りを行ってから再生動作に移行することになり、正確な目標時間（３０秒先）までスキップさせることができないといった問題があった。この場合、例えば２４秒の位置にある画像データＡ２４の再生時に早送りを解除すべくユーザがリモコン操作によりスキャンオフした場合でも、上記したように画像データＡ０、Ａ８、Ａ１６、Ａ２４、Ａ３２の５つの画像データが一つのストリームデータとして生成されているため、途中でスキャンオフして早送りを解除しても、３２秒の位置にある画像データＡ３２を再生した後でなければ通常再生に移行させることができなかった。
【００１２】
さらに、３２秒の位置にある画像データＡ３２を再生した時点でスキャンオフのコマンドを発行しても、その発行タイミング時に装置全体を制御するＣＰＵが他の処理を行っていた場合には、そのコマンドにすぐには対応できず、その結果、ＣＭスキップの停止位置がさらにずれてしまう可能性があるといった問題もあった。
【００１３】
一方、タイムサーチによってＣＭスキップを行う場合、タイムサーチでは正確な時間が分かるため、ＣＭスキップの指定時間である例えば３０秒先まで正確に画像を飛ばしてから通常再生に移行させることができる。しかし、タイムサーチでは、その間の画像が全く表示されないため、ユーザにとっては、本当にＣＭ部分がスキップされたのかを目視により確認することができないといった問題があった。
【００１４】
本発明はかかる問題点を解決すべく創案されたもので、その目的は、ＣＭスキップ時、ビデオカセットコレーダなどと同じように早送りによって途中の画像を見せながスキップ動作を行うとともに、スキップ先である一定時間先の位置で正確にスキップ動作を停止して通常の再生動作に移行できるようにした光ディスク装置を提供することにある。
【課題を解決するための手段】
【００１５】
上記課題を解決するため、本発明の光ディスク装置は、録媒体に記録された情報の再生時、再生画像を一定時間単位でスキップするスキップ機能を有する光ディスク装置において、前記スキップ機能が、早送り機能とタイムサーチ機能との組み合わせによって実現されている。具体的には、スキップモードの開始時には前記早送り機能によって前記一定時間（例えば、３０秒）より短い所定時間（例えば２４秒）だけ早送りを行い、その後、タイムサーチ機能によって前記一定時間（３０秒）先の再生画像の頭出しを行った後、通常の再生モードに移行するように構成している。
【００１６】
これにより、スキップモード時、ユーザは早送りによって飛び飛びの再生画像を見ながらスキップ状態を確認できるとともに、スキップ先である一定時間に近づくと、その時点でタイムサーチ機能に移行させて一定時間先の再生画像の頭出しを迅速かつ正確に行うことができるので、正確なスキップ先の位置から通常の再生画像を視聴することが可能となる。
【００１７】
この場合、前記早送りモードを解除する解除キーを備えていてもよい。すなわち、早送り機能による早送り再生の実施時に、ユーザがこの解除キーを押した場合には、その時点でタイムサーチ機能に切り換えるように構成してもよい。これにより、ユーザが、早送りでのスキップモードを解除して、次の再生開始位置まで早くスキップしたいと考えた場合には、リモコンの解除キーを押すことで、その時点で早送り再生からタイムサーチに移行できるので、次の再生開始位置まで正確かつ迅速にスキップさせることが可能となる。
【発明の効果】
【００１８】
本発明の光ディスク装置によれば、スキップ機能を早送り機能とタイムサーチ機能との組み合わせによって実現するとともに、スキップモードの開始時には早送り機能によって一定時間より短い所定時間だけ早送りを行い、その後、タイムサーチ機能によって一定時間先の再生画像の頭出しを行った後、通常の再生モードに移行するように構成したので、スキップモード時、ユーザは早送りによる飛び飛びの再生画像を見ながらスキップ状態を確認できるとともに、スキップ先である一定時間後の再生画像の頭出しを正確かつ迅速に行うことができ、正確なスキップ先の位置から再び再生画像を視聴することができる。
【００１９】
また、本発明の光ディスク装置によれば、スキップモード時に早送り機能を解除する解除キーを備えているので、ユーザが、早送りでのスキップモードを解除して、早く次の再生開始位置までスキップさせたいと考えた場合には、リモコンの解除キーを押すことで、次の再生開始位置まで正確かつ迅速にスキップさせることができる。
【発明を実施するための最良の形態】
【００２０】
以下、本発明の実施形態について、図面を参照して説明する。
【００２１】
図１は、本発明の光ディスク装置の一実施の形態であるＤＶＤレコーダの回路ブロック図である。
【００２２】
図１において、ディスクモータ２によって回転駆動される光ディスク１から情報を検出する光ピックアップ３の出力は、ＲＦアンプ４を介して、ＡＴＡＰＩコントローラ５及び信号処理プロセッサ１２に導かれている。また、信号処理プロセッサ１２には、ＲＦアンプ４によって増幅され、ＤＶＤ規格に従ってデコードされたデータ（ここではＭＰＥＧ（Motion Picture Expent Group）により圧縮されている）を一旦格納するトラックバッファＲＡＭ（ＳＤＲＡＭ等）７ａが接続されている。これらＲＦアンプ４及び信号処理プロセッサ１２は、フロントエンドＭＣＵ８によって制御される。
【００２３】
サーボ処理回路６は、フロントエンドＭＣＵ８から信号処理プロセッサ１２を経由して送受信されるコマンドや制御データに従って、光ピックアップ３に対するフォーカシングサーボやトラッキングサーボのサーボ制御を行うとともに、光ピックアップ３全体を光ディスク１の半径方向に移動させるためのスレッドモータ９の制御や、光ディスク１を装■する図示しないトレイを駆動するトレイモータ１０の制御を行う。
【００２４】
また、信号処理プロセッサ１２は、バッファＲＡＭ７ｂが接続されたＡＴＡＰＩコントローラ５を介してＡ／Ｖ（Audio / Video）デコーダ１１に接続されており、Ａ／Ｖデコーダ１１の出力は、ビデオ出力端子１３ａ，１３ｂを有するビデオエンコーダ１３と、オーディオ出力端子１４ａを有するＤ／Ａコンバータ１４とに接続されている。Ａ／Ｖデコーダ１１は、トラックバッファＲＡＭ７ａから読み出されたＭＰＥＧにより圧縮されているデータを伸長する。また、Ａ／Ｖデコーダ１１には、伸長したデジタルのデータを数画面分格納するためのＡ／ＶデコードＲＡＭ（ＳＤＲＡＭ等）１５が接続されている。
【００２５】
また、ビデオ入力端子１８ａ，１８ｂを有するビデオデコーダ１８の出力、及びオーディオ入力端子１９ａを有するＡ／Ｖコンバータ１６の出力は、ＴＢＣ／ＦＳ（Time Base Corrector/Frame Synchronize）回路１７を介してＡ／Ｖエンコーダ１６に接続されており、Ａ／Ｖエンコーダ１６の出力がＡＴＡＰＩコントローラ５を介して信号処理プロセッサ１２に接続されている。また、ビデオデコーダ１８及びＡ／Ｄコンバータ１９には、アンテナ端子２１ａを有するチューナ回路２１の各出力が導かれている。Ａ／Ｖエンコーダ１６は、Ａ／ＶエンコードＲＡＭ２０に格納されているデータをＭＰＥＧにより圧縮してＡＴＡＰＩコントローラ５に出力する。
【００２６】
また、ＡＴＡＰＩコントローラ５、Ａ／Ｖデコーダ１１及びＡ／Ｖエンコーダ１６は、バックエンドＭＣＵ２２に接続されており、バックエンドＭＣＵ２２には、ワークＲＡＭ２３とフラッシュメモリ２４とが接続されている。
【００２７】
また、バックエンドＭＣＵ２２には、ＬＣＤ等からなるフロントパネル２６の表示制御を行うフロントパネルコントローラ２５が接続されており、フロントパネルコントローラ２５には、キー入力部２７の出力が導かれている。また、フロントパネルコントローラ２５には、リモコン２８からの送信信号を受信する受信部（図示省略）が設けられている。リモコン２８には、後述するスキップモード時に早送り機能を解除する解除キー２８ａが設けられている。
【００２８】
ここで、上記構成のＤＶＤレコーダにおける再生時の動作について説明する。
【００２９】
バックエンドＭＣＵ２２による読み出し指示を受け取ったフロントエンドＭＣＵ８は、サーボ処理回路６を介して光ピックアップ３を制御する。これにより、光ディスク１に記録されたデータが光ピックアップ３で検出され、ＲＦアンプ４で波形整形と増幅とが行われた後、信号処理プロセッサ１２を介してＡＴＡＰＩコントローラ５のバッファＲＡＭ７ｂに順次蓄えられる。
【００３０】
そして、バッファＲＡＭ７ｂに蓄えられたデータは、Ａ／Ｖデコーダ１１に転送され、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログ信号のビデオ信号に変換されてビデオ出力端子１３ａ，１３ｂから図示しないテレビジョン受像機のモニタ画面に出力される。
【００３１】
一方、オーディオデータについては、ビデオデータと同様にバッファＲＡＭ７ｂからＡ／Ｖデコーダ１１に転送され、Ａ／ＶデコードＲＡＭ１５に一旦蓄えられた後、再び読み出されてＤ／Ａコンバータ１４に順次転送され、ここでアナログのオーディオ信号に変換された後、オーディオ出力端子１４ａを介して図示しないテレビジョン受像機の内蔵マイクから出力される。
【００３２】
上記のような再生動作時、本実施形態の光ディスク装置では、再生画像を一定時間単位でスキップするスキップ機能を有している。このスキップ機能は、バックエンドＭＣＵ２２によって制御される。本実施形態では、このスキップ機能を、早送り機能とタイムサーチ機能との組み合わせによって実現している。以下、具体的に説明する。
【００３３】
例えば、１回のスキップ動作でスキップする時間（一定時間）を３０秒とする。バックエンドＭＣＵ２２は、光ディスク１からの情報の再生時、例えばＣＭスキップ機能を利用してＣＭ部分をスキップする場合、ＣＭスキップの開始時には早送り機能によって一定時間である３０秒より短い所定時間（例えば、２４秒）だけ早送りを行い、その後、タイムサーチ機能によってスキップ先である３０秒先の再生画像の頭出しを行った後、通常の再生モードに移行するようになっている。以下では、早送り機能による早送り再生速度として、８倍速の場合を例に挙げて説明する。
【００３４】
上記の解決課題のところでも説明したように、光ディスク装置では、再生動作時、図２（ａ）に示すように、再生画像データを先読みしてＡ／ＶデコードＲＡＭ１５に一旦蓄えている。そして、このような先読み状態において、ＣＭスキップにより８倍速の早送りを実施する場合、時間的に見て０秒の位置にある画像データＡ０、８秒の位置にある画像データＡ８、１６秒の位置にある画像データＡ１６、２４秒の位置にある画像データＡ２４をつなぎ合わせて１つのストリームデータとして生成し（図２（ｃ）参照）、このストリームデータを順次再生することで８倍速の早送りを実現している。
【００３５】
すなわち、スキップモードの開始時には、早送り再生によって、画像データＡ０、画像データＡ８、画像データＡ１６、画像データＡ２４と飛び飛びに再生して表示し、画像データＡ２４を再生した時点で、タイムサーチ機能に切り換えている。そして、タイムサーチ機能によって、その２４秒の位置からＣＭスキップの目標位置である３０秒先の再生画像の頭出しを行った後、通常の再生モードに移行する。これにより、ユーザは、早送りによる飛び飛びの再生画像を見ながらスキップ状態を確認できるとともに、スキップ先である一定時間後の再生画像の頭出しを正確かつ迅速に行うことができ、正確なスキップ位置から再び再生画像を視聴することができるものである。
【００３６】
このようなＣＭスキップの機能に加え、本実施形態では、リモコン２８に早送りモードを解除する解除キー２８ａを備えている。
【００３７】
すなわち、早送り機能による早送り再生の実施時に、ユーザがこの解除キー２８ａを操作した場合には、その解除キー２８ａの操作信号がフロントパネルコントローラ２５を介してバックエンドＭＣＵ２２に入力される。バックエンドＭＣＵ２２は、この操作信号に基づき、その時点でＣＭスキップの処理を早送りモードからタイムサーチモードに切り換える。
【００３８】
例えば、ユーザが早送り再生により１６秒の位置にある画像データＡ１６を視聴しているときにこの解除キー１８ａを操作すると、バックエンドＭＣＵ２２は、この操作信号に基づき、画像データＡ１６の位置（１６秒の位置）から、タイムサーチによってスキップ先である３０秒の位置の再生画像の頭出しを行い、その３０秒の再生画像から通常再生に移行する。このように、ユーザが、早送り再生を解除してスキップ先の位置まで早くスキップしたいと考えた場合には、リモコン２８の解除キー２８ａを押すことで、その時点で早送り再生からタイムサーチに移行できるので、次の再生開始位置まで正確かつ迅速にスキップさせることができる。
【００３９】
なお、上記実施形態では、ＣＭスキップを例に挙げて説明しているが、ユーザが再生画像を視聴しているときに、リモコン２８に設けられている図示しないスキップキーを操作することによってスキップモードを実行する場合においても、本発明に係るスキップ機能を用いることができるのは当然である。
【図面の簡単な説明】
【００４０】
【図１】本発明の光ディスク装置の一実施の形態であるＤＶＤレコーダの回路ブロック図である。
【図２】早送り再生の処理を説明するための図である。
【符号の説明】
【００４１】
１  光ディスク
３  ピックアップ
４  ＲＦアンプ
５  ＡＴＡＰＩコントローラ
６  サーボ処理回路
７ａ  トラックバッファＲＡＭ
７ｂ  バッファＲＡＭ
８  フロントエンドＭＣＵ
１１  Ａ／Ｖデコーダ
１２  信号処理プロセッサ
１３  ビデオエンコーダ
１４  Ｄ／Ａコンバータ
１５  Ａ／ＶデコードＲＡＭ
１６  Ａ／Ｖエンコーダ
１７  ＴＢＣ／ＦＳ回路
１８  ビデオデコーダ
１９  Ａ／Ｄコンバータ
２０  Ａ／ＶエンコードＲＡＭ
２１  チューナ回路
２２  バックエンドＭＣＵ
２３  ワークＲＡＭ
２４  フラッシュメモリ
２５  フロントパネルコントローラ
２８  リモコン
２８ａ  解除キー
【図１】
2005327348.tif 000003
【図２】
2005327348.tif 000004